(57)【要約】【課題】浴室以外の換気を可能としつつ、空気の吸引効率を高め、暖房効率を向上する浴室換気装置の提供。【解決手段】本体ケース２の送風機ケース９と排気風路１０とが接続され、排気風路１０の排気口１１から排気を室外に排出する。排気風路１０に循環用風路１２が分岐して形成され、循環用風路１２にはヒータ１３Ａが配置されている。循環用風路１３の末端部は浴室内側に開口し、排気口１１の近傍にはダンパー１４が設けられ、本体ケース２の側壁部には、浴室内以外の建物内部の空気を本体ケ送風機８は、円筒形を有する外周部に羽を設けた遠心式の送風機によって構成され、送風機８の回転軸１７はダンパー１４の揺動軸１８と平行に向けられている。【選択図】図１
2004053090.tif 000002
【特許請求の範囲】
【請求項１】
浴室壁部に設けられた取付開口部に据え付けられる本体に、浴室内の空気を導入する吸引開口部と導入した前記空気を再び浴室内に戻す吐出開口部とが形成され、前記本体の前記浴室壁部の外側に臨む壁部に、前記浴室から吸引した空気を浴室外部に排気する排気口が開口され、前記本体に、浴室内の空気を吸引する送風機を格納する送風室が形成され、該送風室に、前記浴室から導入した空気を前記排気口から浴室外に排気する排気風路が設けられ、前記送風室若しくは該排気風路の少なくとも何れかに、前記送風機で吸引した浴室内の空気を前記吐出開口部から浴室内に戻す循環用風路が設けられ、前記排気風路と前記循環用風路は、前記排気口と前記循環用風路への送風量がダンパーの角度によって制御される浴室換気装置であって、
前記本体ケースの側壁部に、浴室内以外の建物内部の空気を本体ケース内部に導入する副導入口が形成され、前記送風機は、該送風機の回転軸に平行に延びる羽を円筒型に配列した遠心式の送風機によって構成されると共に、該送風機の回転軸が前記ダンパーの揺動軸と平行に向けられていることを特徴とする浴室換気装置。
【請求項２】
請求項１の浴室換気装置において、
前記本体ケースの側壁部であって、前記送風機を駆動するモーターの配設部位の近傍に、前記副導入口が開口されていることを特徴とする浴室換気装置。
【請求項３】
請求項１，２のいずれかの浴室換気装置において、
前記送風機の軸方向における略中央部に、前記送風機を左右に分割する隔壁部が設けられ、この隔壁部の左右部位から空気を吸引して前記外周部から送風可能とされていることを特徴とする浴室換気装置。
【請求項４】
請求項３の浴室換気装置において、前記送風機室を前記本体ケースの上底壁部から離間させて形成し、前記送風機室と前記上底壁部との間に空気を通す風路を形成したことを特徴とする浴室換気装置。
【発明の詳細な説明】
【０００１】
【発明の属する技術分野】
本発明は、浴室の天井等に配設される浴室換気装置に関し、更に詳しくは、浴室外の部屋等の換気も可能とした浴室換気装置に関する。
【０００２】
【従来の技術】
従来から、浴室天井に配設される浴室換気装置が知られている。この浴室換気装置の構造の一例としては、浴室天井に開口された取付穴に、取付用の金属枠を固定し、この金属枠に浴室換気装置の本体ケースを保持させるようになっている。本体ケースは通常箱体形状を有しており、浴室内側が開口して浴室内空気の吸引用開口部とされ、本体ケース内部に空気吸引用のファンが配置されている。空気吸引用のファンは遠心式の送風機で構成され、回転軸が略鉛直方向に向けられている。
【０００３】
また、送風機の外周部は送風機室の壁で覆われており、送風機室の一部は空気を通す排気風路と接続されている。排気風路は本体ケースの側壁部に開口された排気口に接続されている。排気風路の一部は、途中で浴室内側に分岐しており、その分岐した風路が吸引した空気を暖めて浴室内に循環させるための循環用風路とされている。この循環用風路にはヒータなどの暖房装置が設けられており、浴室に循環させる空気を暖めることができるようになっている。
【０００４】
更に、循環用風路の分岐部分近傍にはダンパーが設けられており、排気風路から浴室外に排気される空気と、浴室内に循環される空気との風量を調整することができるようになっている。
【０００５】
【発明が解決しようとする課題】
しかしながら、このような浴室換気装置の場合でも、浴室以外の部屋の換気ができないため、建物全体の換気としては不十分である。そこで、本体ケースに空気の導入口を設けることが考えられるが、送風機の回転軸が鉛直軸方向に延びていると、浴室内部の空気を吸引するには好適であるが、本体ケースの側壁部に新たに空気の導入口を開けると、当該空気の導入口から空気を吸引する場合に効率が悪いという問題がある。
【０００６】
また、浴室内に延びる循環用風路が上下方向に向いているために、送風機からの排気を循環用風路と排気風路とに切り換えるダンパーは、上下方向に揺動するのが、通常である。
【０００７】
ところが、送風機が鉛直軸周りに回転すると、送風機からの排気は排気風路の右或いは左の側壁に沿った近い側の流れが速く、排気風路の中央部側の空気の流れが遅くなるので、ダンパーによる切換風量にムラが生じることとなり、暖房効率が向上しないという問題がある。
【０００８】
本発明は、このような問題に着目したものであり、浴室以外の建物の換気を可能としながら、空気の吸引効率を高めつつ、しかも、暖房効率を向上することを目的とする。
【０００９】
【課題を解決するための手段】
上述のような課題を解決するために、本発明にかかる浴室換気装置は、本体ケースの側壁部に、浴室内以外の建物内部の空気を本体ケース内部に導入する副導入口が形成され、前記送風機は、円筒形を有する外周部に羽を設けた遠心式の送風機によって構成されると共に、該送風機の回転軸が前記ダンパーの揺動軸と平行に向けられていることを特徴とする。
【００１０】
このような構成によれば、副導入口が設けられているので、浴室以外の建物の換気を可能とする。
【００１１】
また、送風機からの排気される空気の流速が排気風路の側壁に近いほうが速く、側壁から遠い方が遅くなっても、送風機の回転軸がダンパーの揺動軸と平行に向けられていることによって、ダンパーの自由端部が流速の等しい空気層をほぼ均一にすくい上げて、循環用風路に案内することが可能となる。
【００１２】
従って、送風機からの排気空気の一部を浴室内に循環させるときでも、ダンパーの自由端部の角度に応じて循環用風路に送る空気の風量調整が容易となるので、空気の吸引効率を高めつつ、暖房効率を向上することが可能となる。
【００１３】
なお、この浴室換気装置において、送風機を駆動するモーターの配設部位の近傍に、副導入口が開口されている場合には、モーターを冷却しつつ、モーターの熱により加熱効果を上げることができる。
【００１４】
更に、上記の浴室換気装置において、送風機の前記外周部の暗中央部（中央部を含む）に、送風機を左右に分割する隔壁部が設けられ、この隔壁部の左右部位から空気を吸引して前記外周部から送風可能とされている場合には、送風機の左右から空気を吸引できる。円筒型の遠心式送風機では、円筒が深いと、円筒の奥部には空気が入りにくいために、排気能力も中央部より低いが、送風機の中央部に隔壁部が設けられているので、排気能力が向上する。
【００１５】
更に、上述の浴室換気装置において、送風機室を本体ケースの上底壁部から離間させて形成し、前記送風機室と前記上底壁部との間に空気の風路を形成すると、この風路を経由して送風機の両側から空気を吸引できることとなる。
【００１６】
【発明の実施の形形態】
以下、本発明の一実施の形態にかかる浴室換気装置を図面に基づいて説明する。
【００１７】
この浴室換気装置１は、浴室内の空気を導入した後に導入した空気を浴室内外に送風するための本体ケース２と、図２に示す取付金具３と金属カバー４及びダクトジョイント５〜７（図１，図２参照）を備えている。
【００１８】
本体ケース２には、図１に示すように、送風機８を格納する送風機ケース９と、送風機８からの空気を外部に排気可能な排気風路１０とが形成され、送風機ケース９と排気風路１０とが接続されている。本体ケース２には排気口１１が形成され、この排気口１１が排気風路１０の末端部とされており、送風機ケース９から排出される排気を室外に排出する。本体ケース２の上部は図１に示す金属カバー４に覆われている。
【００１９】
排気風路１０には、排気風路１０からの空気を浴室内に導入するための循環用風路１２（図７参照）が形成されている。循環用風路１２には、図７に示すように、排気風路１０内に送られてくる空気を暖めて浴室内に循環させるためのヒータ１３Ａ（発熱装置）が配置されている。循環用風路１２の末端部は浴室内側に開口している。
【００２０】
排気風路１０の排気口１１の近傍には、排気口１１と循環用風路１２への空気の通る方向を切り換えるように揺動可能なダンパー１４が設けられている。本体ケース２の側壁部には、浴室内以外の建物内部の空気を本体ケース２の内部に導入する副導入口１５、１６が形成されている。送風機８は、円筒形を有する外周部に羽を設けた遠心式の送風機によって構成され、送風機８の回転軸１７はダンパー１４の揺動軸１８と平行に向けられている。
【００２１】
本体ケース２は、一例としてＡＢＳ樹脂などのプラスチックスからなるものであり、図２に示す浴室１９の天井部２０に形成された換気扇用の開口部２１の内部に、取り付けられる。その際、本体ケース２は、送風機ケース９及び排気風路１０が天井部２０の上方に位置するように設置される。
【００２２】
天井部２０の開口部２１には、図２に示すように、まず取付金具３の枠部２２が挿入される。取付金具３のフランジ部２３は、木ねじ等によって開口部２１の縁部に固定される。取付金具３の枠部２２には金属カバー４で覆われた本体ケース２がネジ止めされる。
【００２３】
浴室１９の天井部２０に浴室換気装置１を取り付ける場合には、まず、取付金具３のＬ字金具３Ｃを天井部２０の上部にある建物の梁等にボルトにより固定する。この際に、取付金具３と開口部２１との水平・垂直位置を調整し、ダクトジョイント５〜７を取付金具３に取り付け、ダクトジョイント５〜７にダクトを接続する。次に、金属カバー４を有する浴室換気装置１を取付金具３内部に挿入してネジで止める。
【００２４】
なお、金属カバー４には、図１に示すように、排気口１１と連通する開口部４Ａと、副導入口１５，１６と連通する開口部４Ｂ，４Ｃが形成されている。金属カバー４は箱体形状をなしており、本体ケース２にネジ止めされている。本体ケース２を開口部２１へ挿入すると、開口部４Ａにはダクトジョイント５が、開口部４Ｂにはダクトジョイント６が、開口部４Ｃにはダクトジョイント７がそれぞれ対向して位置決めされる。
【００２５】
そして、図３に示すように、天井部２０の上部に配索された建物の排気フード２４Ａに接続されるダクト２４と、排気用のダクトジョイント５とを互いに接続し、ダクトジョイント５と排気用のダクト２４との接続部位の周りに粘着テープを貼り付けて固定する。
【００２６】
また、浴室１９以外の室内（例えば脱衣場２５）の換気口２６と接続されるダクト２８に、ダクトジョイント６をダクトジョイント５と同様な方法で接続する。ダクトジョイント５、６をダクト２４、２８と接続した後に、浴室換気装置１を取り付け金具３の内部に固定すると、排気風路１０とダクト２４とが接続され、副導入口１５にダクト２８が接続される。なお、ダクトジョイント７はトイレ８４の換気口２７から延びるダクト２９が接続される。符号Ｂａは浴槽、８１は点検口、８２は浴室のドア、８３は浴室１９内への空気取り入れ口であるガラリである。
【００２７】
本体ケース２は天井部２０を介して取付金具３にネジ止めされて取り付けられ、建物の梁及び天井部２０に支持される。
【００２８】
図４は、便宜のために、図１の本体ケース２を取付時と反対側に向け、本体ケース２の吸引吐出開口部３２を浴室の天井部２０側に向けて示したものである。本体ケース２の吸引吐出開口部３２の周りには、フランジ部３３が形成されており、浴室内の空気を導入する吸引吐出開口部３２の奥部には、矩形状の平面形状を有する縦壁部３４が形成されている。
【００２９】
この縦壁部３４は、排気口１１が取付金具３の枠部３Ｂの上に位置するように、取付金具３の枠部３Ｂとほぼ同じ高さで形成されている。フランジ部３３は、天井部５の開口部２１を封鎖するようになっている。フランジ部３３には、図４の二点鎖線及び図３に示すように、空気を吸引したり、吹き出すためのフロントパネル３５がネジ止めされる。
【００３０】
フロントパネル３５には、浴室内の空気を吸引するための細長い穴と、本体ケース２から空気を浴室内に吹き出す細長い穴とがそれぞれ複数個形成されている。フロントパネル３５の空気吸引用の開口部と本体ケース２との間には、不織布等からなるフィルター（図示省略）が取り付けられる。フロントパネル１２の空気吹き出し用の開口部は、ヒータ用枠体１３に臨むように配設される。
【００３１】
本体ケース２の縦壁部３４の奥部には、箱体形状の空気導入室３６が形成されている。空気導入室３６の底壁部３６Ａは閉鎖されており、空気導入室３６の側壁３６Ｂ，３６Ｃに副導入口１５，１６が形成されている。空気導入室３６の排気風路１０側の部位は、底壁部３６Ａから立ち上がる縦壁部３６Ｄとされており、縦壁部３６Ｄの上に排気風路１０が形成されている。縦壁部３６Ｄが底壁部３６Ａから立ち上がる構成によって、後述する送風機ケース９の下部容器４０と底壁部３６Ａの間に空気を通過させる風路４１が形成される。
【００３２】
前述の空気導入室３６には、送風機ケース９と、ファンモーター７０と、ファンモーター７０を支持するための支持金具７６（図８参照）とが配設される。送風機ケース９の側壁部と副導入口１５，１６を備えた壁部３６Ｂ，３６Ｃとの間には、吸引吐出開口部３２からの空気を十分に通すことができる空間部Ｓが設けられている。この送風機ケース９の側壁部と副導入口１５，１６との間に、空間部Ｓが設けられていることにより、送風機８の回転時の吸引力によって、当該空間部Ｓから送風機ケース９の内部に浴室１９内部の空気が吸引され、排気風路１０に送風される。また、ダクトジョイント６，７及び副導入口１５，１６からトイレ８４や脱衣場２５の空気が吸引可能となる。
【００３３】
排気風路１０の両側の側壁部分４２、４３は空気導入室３６より幅が狭く形成されており、側壁部分４２，４３の高さは同じ高さとされている。この側壁部分４２、４３の上部にヒータ用枠体１３がネジによって取り付けられる。尚、排気風路１０にはダンパー１４の先端部を保持する凹部１０Ａが形成されており、ダンパー１４の先端部が凹部１０Ａに位置するときに、凹部１０Ａの上流からの排気空気によって、ダンパー１４の先端部が振動することを防止すると共に、凹部１０Ａにおける負圧を減少させ、排気風路１０を遮断しているダンパー１４の先端部を持ち上げる際の負圧による抵抗を減少させている。
【００３４】
ヒータ用枠体１３は、循環用風路を形成するために筒体形状を備えており、この筒状の枠外ヒータ用枠体１３の内部にヒータ１３Ａが配設されている。ヒータ１３Ａは、制御線３０Ａに接続されるスイッチ回路を備えていると共に、給電線３１Ａに接続され、後述する制御基板による導通・遮断により給電線３１Ａから給電可能とされている。
【００３５】
側壁部分４２，４３の排気口１１近傍の縁部には、ダンパー１４の揺動軸１８を保持するための軸受け用凹部（図示せず）が設けられており、この軸受け用凹部に挿入された揺動軸１８は、ヒータ用枠体１３を側壁部分４２，４３に固定すると、揺動軸１８が脱落しないように保持される。図５に示すように、揺動軸１８の側壁部分４３側の端部４３Ａは、「Ｄ」字型の断面に形成されている。
【００３６】
収納部４５と排気風路１０との間には排気風路１０の側壁部が存在しており、収納部４５は排気風路１０と分離されている。揺動軸１８の端部４３Ａは収納部４５内部に突出しており、従動カム４４は、側壁部分４３に形成された箱形の収納部４５の内部に配設されている。揺動軸１８のＤ型断面の端部４３Ａは、従動カム４４の基部のＤ型の保持穴４４Ａに嵌め込まれている。
【００３７】
収納部４５内部には、従動カム４４、円板体４７、ＡＣシンクロナスモーター４６が、排気風路１０から離れる方向の順番に配設されている。即ち、収納部４５の排気風路１０から遠い側壁部にはＡＣシンクロナスモーター４６が取り付けられており、ＡＣシンクロナスモーター４６の出力軸は排気風路１０側に突出している。ＡＣシンクロナスモーター４６は図示しない減速歯車を備えており、この減速歯車の回転軸４６Ａに円板体４７が回り止めされて取り付けられている。円板体４７は従動カム４４の近傍に設けられており、円板体４７の従動カム４４に臨む面に原動カム４８が回転自在に軸止されている。原動カム４８は、従動カム４４に開口されたカム穴４９にスライド自在に保持されている。
【００３８】
ＡＣシンクロナスモーター４６は、後述する制御基板から延びる配線に接続されており、制御基板の電源回路が給電線３１Ａの交流をＡＣシンクロナスモーター４６に給電する。ＡＣシンクロナスモーター４６は、コントローラ３０の制御信号に基づいて制御基板から給電されてダンパー１４の角度を変更する。
【００３９】
図６は送風機ケース９の構成を示す。送風機ケース９は、下部ケース５０と、上部ケース５１とで構成される。下部ケース５０は上方と側方が開口する箱形の形状を有しており、外周部５２がほぼ円形状に湾曲している。外周部５２の左右には側板部５３がそれぞれ立ち上がっている。左右の側板部５３の幅は排気風路１０と同じ左右幅となるように設定されている。側板部５３の上端部には、送風機８の内部に空気を導入するための半円形の開口部５４が形成されている。この半円形の開口部５４の直径は円筒型の遠心式送風機８の空気導入口の口径より少し小さく設定されている。外周部５２の底部分は、図７に示すように、空気導入室３４の底壁部３６Ａの中央部近傍に突出するボス５５に支持されており、外周部５２の底部分を貫通するネジがボス５５のボス穴に螺着されて固定される。下部ケース５０の外周部５２の後部は、空気導入室３６の後壁部に形成された湾曲部５６に嵌合して保持されるようになっている。下部ケース５０と空気導入室３６の底壁部３６Ａとの間は、図７に示すように、空気を通す風路４１を構成している。
【００４０】
上部ケース５１は、下部ケース５０の上部端縁部と一致する半円筒型の形状を有する。上部ケース５１の外周部５７は大略円筒型に形成されている。外周部５７の後方の端部は、下部ケース５１の後方の端部とぴったりと接触する。上部ケース５１の前方の端部は、図７に示すように、側壁部分４２，４３の高さより少し下がった後に、ほぼ同じ高さになるように湾曲している。この湾曲部分５８の縁部は、ヒータ用枠体１３の下部に接触して固定されるようになっている。上部ケース５１の左右の側板部５９は下部ケース５０の側板部５３にぴったりと一致して接触する。左右の側板部５９の下端縁部には半円形の開口部６０がそれぞれ形成されている。左右の側板部５９の後端部には取付用のフランジ６１がそれぞれ突出している。このフランジ６１は、空気導入室３６の後部に形成された平面部６２に支持され、ネジ止めされる。
【００４１】
送風機ケース９の内部には、既に述べたように遠心式の送風機８が配設される。図８は送風機８の構成及びファンモーター７０の取付状態を示す。送風機８は、円筒型の外周には羽７２が多数形成されている。送風機８の両端部には円形リング７３が設けられ、円形リング７３が羽７２を支持している。送風機８の軸方向の中央部には、隔壁部７４が形成されており、送風機８に二つの送風部位が設けられている。隔壁部７４の回転中心部にはファンモーター７０の出力軸に取り付けられた回転軸１７が固定される。送風機８は、中央部に隔壁部７４が形成されて両側を区画されていることによって、左右の両側に二つのファンを備えたこととなっており、送風機８の両側から空気を導入して、羽７２の隙間７２Ａから導入した空気を排気できるようになっている。円形リング７３の内側の円形開口部７５は空気を送風機内部に吸引するための導入口である。円形開口部７５の直径は送風機ケース９の開口部６０の直径より大きく構成されている。
【００４２】
ファンモーター７０は、空気導入室３６の底壁部３６Ａの側部に取り付けられる支持金具７６により支持される。支持金具７６は、底壁部３６Ａに固定されてファンモーター７０のケース下部を保持する下部金具７７とファンモーター７０のケース上部を保持する上部金具７８とで構成され、上部金具７８と下部金具７７とはネジ止めにより固定される。ファンモーター７０は副導入口１５の近傍に配設されることによって、導入される空気により冷却されると共に、導入される空気を暖める効果を有する。
【００４３】
ファンモーター７０は、ケース本体２の後部に配設される制御基板から給電され、コントローラ３０の制御信号により回転する。ケース本体２の後部には制御基板（図示省略）を格納する凹部８０が形成され、この凹部８０の内部に制御基板が格納される。凹部８０は、箱体形状のカバーによって覆われ、凹部とカバーの間からＡＣシンクロナスモーター４６、ファンモーター７０、ヒータ１３Ａに制御線及び給電線が延びている。
【００４４】
上述の制御基板は、ファンモーター７ｑ及びＡＣシンクロナスモーター４６を制御するために、商用電源をファンモーター７０及びＡＣシンクロナスモーター４６に給電するための電源回路を備えている。コントローラ３０の制御信号により電源回路はファンモーター７０及びＡＣシンクロナスモーター４６を駆動する。
【００４５】
コントローラ３０は、浴室換気装置１のオンオフボタン、浴室の換気・送風・暖房モードの選択ボタン、タイマー設定ボタンその他のボタンを有する。
【００４６】
浴室の換気のみの場合には、コントローラ３０からの制御により、ファンモーター７０を送風可能に回転させ、ダンパー１４を水平方向に向けてヒータ用枠体１３への送風を遮断するように、ＡＣシンクロナスモーター４６を回転させる。
【００４７】
浴室の換気と浴室への送風を行う場合には、浴室への送風量の設定（送風量設定機能がある場合）に基づいてダンパー１４を設定した角度に傾斜させ、排気口１１からの排気と浴室への送風とを行う。
【００４８】
浴室から吸引した空気をすべて浴室に循環する場合には、ダンパー１４を最大傾斜角度に傾斜させて排気風路１０を遮断して浴室に送風する。次にファンモーター７０を回転させ、浴室１９，脱衣場２５及びトイレの換気を行う。
【００４９】
暖房モードが選択されたときには、ダンパー１４を最大傾斜角度に傾斜すると共に、ヒータ１３Ａに給電して温風を浴室１９に送風する。ヒータ用枠体１３の温風出口には、ヒータ１３Ａにより加熱された温度を検知するサーミスタが設けられ、サーミスタの電圧がマイクロコンピュータ内のＡＤ変換器に送信されてヒータ１３Ａのオンオフ制御が所定の温度で行われる。浴室の換気と浴室への送風を行うときに、浴室への送風量の設定に基づいてダンパー１４を設定した角度に傾斜させ、排気口１１からの排気と浴室への送風とを行うと共に、ヒータ１３Ａのオンオフ制御を行うことによって、乾燥モードとすることもできる。尚、乾燥モードはダンパー１４の最大と最小の傾斜角度を繰り返すことによる間欠換気方式としても良い。涼風モードが選択されたときには、上述した暖房モードにおける動作において、ヒータ１３Ａへの通電を遮断することにより、浴室１９へ扇風機のように涼しい風を送風することが出来る。
【００５０】
また、選択ボタンには、浴室のみの換気を行ったり、浴室と共に脱衣場等の建物の他の部屋を同時に換気する選択ボタンを設けることもできる。このような選択ボタンを設ける場合には、ダクトジョイント６，７に通じる副導入口１５，１６にシャッターを開閉可能に設けると共に、シャッターにモーター及び駆動機構を設け、前述の制御基板からの制御によりシャッターを開閉する。尚、ダンパー１４の角度の制御は単に角度を制御することにとどまらずダンパー１４の開度の制御も含まれるものとする。
【００５１】
【発明の効果】
本発明の浴室換気装置によれば、浴室以外の建物の換気を可能としながら、空気の吸引効率を高めつつ、しかも、暖房効率を向上することができる。
【図面の簡単な説明】
【図１】本発明の実施の形態にかかる浴室換気装置の本体ケース及び取付金具の概略構成を示す斜視図。
【図２】図１の浴室換気装置が取り付けられる天井部の開口部周辺を示す説明図。
【図３】建物内部において図１の浴室換気装置の取付状態を示す説明図。
【図４】図４は本体ケースの内部構成を示す斜視図。
【図５】図５は、ダンパーを駆動するＡＣシンクロナスモーター及びカム機構の説明図。
【図６】図６は送風機ケースの斜視図。
【図７】図７は本体ケース内部の送風機ケース及びダンパー並びにヒータ部の配設状態の説明図。
【図８】図８は遠心式の送風機及びファンモーターの取付状態の説明図。
【符号の説明】
１浴室換気装置
２本体ケース
３取付金具
４金属カバー
５、６，７ダクトジョイント
８遠心式の送風機
９送風機ケース（送風機室）
１０排気風路
１１排気口
１２循環用風路
１３ヒータ用枠体
１３Ａヒータ
１４ダンパー
１５、１６副導入口
１７送風機の回転軸
１８ダンパーの揺動軸
【図１】
2004053090.tif 000003
【図２】
2004053090.tif 000004
【図３】
2004053090.tif 000005
【図４】
2004053090.tif 000006
【図５】
2004053090.tif 000007
【図６】
2004053090.tif 000008
【図７】
2004053090.tif 000009
【図８】
2004053090.tif 000010